(57)【特許請求の範囲】
【請求項１】
トイレットであって、
トイレット・ボウルを支持し、前記トイレット・ボウルの下にチャンバーを構成するフレームを備え、前記トイレット・ボウルは、チャンバーと連通している下方排出開口を構成し、前記トイレットはさらに、
前記フレーム内の前記チャンバー内に概ね配置され、流体受容空間を構成する傾倒ボウルを備え、
前記傾倒ボウルは、前記流体受容空間が前記トイレット・ボウルに少なくとも部分的に重なり、前記下方排出開口を収容する第一配置と、流体を前記トイレット・ボウルから前記下方排出開口を通して、且つ前記流体受容空間から前記チャンバーに流入させる第二位置との間で前記トイレット・ボウルに対して枢動可能に取り付けられ、
前記傾倒ボウルは、前記第一位置では、前記下方排出開口からのガスの流れを制限するように、前記下方排出開口を塞ぐのに充分な量の流体を前記流体受容空間に保持し、
前記傾倒ボウルは、前記量の流体を第一の所定流体重量及び／又は流体レベル以下に収容するとき前記第一位置にとどまるようになっており、
前記傾倒ボウルは、前記流体受容空間内の流体が第二の所定流体重量及び／又は流体レベルを超えるとき、前記流体受容空間への追加の流体の導入に応答して前記第一位置から前記第二位置に向かって移動するようになっており、前記第二の所定流体重量及び／又は流体レベルは前記第一の所定流体重量及び／又は流体レベルよりも、大きい及び／又は高い、トイレット。
【請求項２】
前記傾倒ボウルの前記第一位置から前記第二位置への移動を遅らせるための手段を更に含む、請求の範囲１に記載のトイレット。
【請求項３】
前記移動を遅らせる前記手段は重力手段又は磁気手段又はラッチ機構からなる、請求の範囲２に記載のトイレット。
【請求項４】
前記流体受容空間内の前記量の流体に加えて、排泄物及び洗浄用流体が前記第二の所定流体レベル及び／又は流体重量に等しい又はそれよりも、高い及び／又は大きい流体レベル及び／又は流体重量にする、請求の範囲１に記載のトイレット。
【請求項５】
前記傾倒ボウルは前記第二位置から前記第一位置に戻るように付勢される、請求の範囲１に記載のトイレット。
【請求項６】
前記傾倒ボウルの前記第二位置から前記第一位置への戻りを遅らせるための手段を含む、請求の範囲１乃至５のいずれか１項に記載のトイレット。
【請求項７】
戻りを遅らせるための前記手段はピストン又は前記傾倒ボウルに取り付けられた１つ以上のタンクからなり、前記１つ以上のタンクは、前記傾倒ボウルが前記第一位置にあるとき、所定量の流体を収容し、前記１つ以上のタンクは、前記傾倒ボウルが前記第一位置から前記第二位置に向かって移動するとき、前記所定量の流体を時間間隔にわたって放出するようになっており、前記傾倒ボウルは、前記所定量の流体の放出時、前記第一位置に向かって戻るように取り付けられている、請求の範囲６に記載のトイレット。
【請求項８】
前記下方排出開口は、底部排出孔の上方に配置されている、請求の範囲１乃至７のいずれか１項に記載のトイレット。
【請求項９】
水を前記トイレット・ボウルの内壁面に差し向けるように配置され且つ配列された複数の放水口と、前記複数の放水口を通して放水するための手段と、を更に含む、請求項１乃至８のいずれか１項に記載のトイレット。
【請求項１０】
前記放水するための手段は、洗浄作用を高めるために、前記複数の放水口の組に順次水を送出するためのシーケンス手段を含む、請求の範囲９に記載のトイレット。
【請求項１１】
前記放水するための手段は、前記傾倒ボウルが前記第一位置にあるとき、前記流体受容空間内に最適な所定流体レベルを維持するための手段を更に含み、前記流体レベルを維持する手段は、前記最適な所定流体レベルより低い流体レベルが検出されるとき、放水を開始し、前記最適な所定流体レベルに少なくとも等しい流体レベルが検出されるとき、放水を停止する、請求の範囲９に記載のトイレット。
【請求項１２】
前記複数の放水口は前記下方排出開口及び／又は底部排出孔の上方に配置された包囲領域を定めるように配列されている、請求項９に記載のトイレット。
【請求項１３】
前記複数の放水口を通して放水するための前記手段は電子制御される、請求の範囲９に記載のトイレット。
【請求項１４】
前記流体受容空間内の流体レベルが規定レベルを超えるとき、過剰な流体を排出する、前記傾倒ボウルによって構成された手段を更に含む、請求項１乃至１３のいずれか１項に記載のトイレット。
【請求項１５】
前記傾倒ボウルは複数のボウル部分からなり、少なくとも１つのボウル部分は水平な軸線を中心に枢動するように取り付けられている、請求の範囲１乃至１４のいずれか１項に記載のトイレット。
【請求項１６】
前記第二の所定流体レベルに何時達したかを検出し、且つ前記傾倒ボウルを前記第一位置から前記第二位置に向かって移動するように解放するための手段を更に含む、請求の範囲１乃至１５のいずれか１項に記載のトイレット。
【請求項１７】
流体レベルを検出し、且つ移動を解放する前記手段はフロート及びラッチ組立体を含む、請求項１６に記載のトイレット。
【請求項１８】
前記トイレットは携帯トイレットであり、折り畳み可能な給水容器及び／又は折り畳み可能な排泄物容器を更に含む、請求項１乃至１７のいずれか１項に記載のトイレット。
【発明の詳細な説明】
発明の背景
１．発明の分野
本発明はサイフォンを一切含まない新しいタイプのトイレットに関する。
２．従来技術の簡単な説明
現在使用中であり、市場で入手できるほとんどのトイレットは、ボウルと、トイレットのボウルから廃水を排出するサイフォンとを含む水洗トイレットである。
これらの従来のトイレットの大きな欠点は、トイレットのボウルをクリーニングし、サイフォンを通して廃水を排出するために、かなり高い圧力を作り出す水タンクまたは水ポンプを、それらが必要とすることである。
発明の目的
従って、本発明の目的は、サイフォンを一切含まないトイレットを提供することによって従来技術の上述の欠点を取り除くことである。従って、関係する目的は、従来のトイレットよりも少ない水を使い、騒音の少ないトイレットを提供することである。他の関係する目的は、水タンクまたは水ポンプの必要性を取り除くことによって空間の節約を提供することである。
本発明のさらなる目的は、トイレット・ボウル内に必要な水位を保持する傾倒ボウルを含み、この傾倒ボウルがトイレット・ボウルから廃水を排出するように傾むく、トイレットを提供することである。
本発明の他の目的は、自動的に滅菌消毒するトイレット便座装置及び、トイレット便座の衛生カバー・シートを自動的に分与するトイレット便座装置を提供することである。
発明の概要
さらに詳しくは、本発明によれば、トイレットであって、
トイレット・ボウルを支持し、前記トイレット・ボウルの下にチャンバーを構成するフレームを備え、前記トイレット・ボウルは、チャンバーと連通している下方排出開口を構成し、
前記フレーム内の前記チャンバー内に配置され、流体受容空間を構成する傾倒ボウルを備え、
前記傾倒ボウルは、前記流体受容空間が前記トイレット・ボウルに少なくとも部分的に重なり、前記下方排出開口を収容する第一位置と、流体を前記トイレット・ボウルから前記下方排出開口を通して、且つ前記流体受容空間から前記チャンバーに流入させる第二位置との間で前記トイレット・ボウルに対して枢動可能に取り付けられ、
前記傾倒ボウルは、前記第一位置では、前記下方排出開口からのガスの流れを制限するように、前記下方排出開口を塞ぐのに充分な量の流体を前記流体受容空間に保持し、
前記傾倒ボウルは、前記量の流体を第一の所定流体重量及び／又は流体レベル以下に収容するとき前記第一位置にとどまるようになっており、
前記傾倒ボウルは、前記流体受容空間内の流体が第二の所定流体重量及び／又は流体レベルを超えるとき、前記流体受容空間への追加の流体の導入に応答して前記第一位置から前記第二位置に向かって移動するようになっており、前記第二の所定流体重量及び／又は流体レベルは前記第一の所定流体重量及び／又は流体レベルよりも、大きい及び／又は高い、トイレットを提供する。
本発明によるトイレットの好ましい実施形態によれば：
トイレットは前記傾倒ボウルの前記第一位置から前記第二位置への移動を遅らせるための手段を更に含む：
前記移動を遅らせる手段は、重力手段又は磁気手段又はラッチ機構からなる：
前記流体受容空間内の前記量の流体に加えて、排泄物及び洗浄用流体が前記第二の所定流体レベル及び／又は流体重量に等しい又はそれよりも、高い及び／又は大きい流体レベル及び／又は流体重量にする：
傾倒ボウルは前記第二位置から前記第一位置に戻るように付勢される：
トイレットは前記傾倒ボウルの前記第二位置から前記第一位置への戻りを遅らせるための手段を含む：
戻りを遅らせるための前記手段はピストン又は前記傾倒ボウルに取り付けられた１つ以上のタンクからなり、前記１つ以上のタンクは、前記傾倒ボウルが第一位置にあるとき、所定量の流体を収容し、前記１つ以上のタンクは、前記傾倒ボウルが前記第一位置から前記第二位置に向かって移動するとき、前記所定量の流体を時間間隔にわたって放出するようになっており、前記傾倒ボウルは、前記所定量の流体の放出時、前記第一位置に向かって戻るように取り付けられている：
前記下方排出開口は、底部排出孔の上方に配置されている：
トイレットは、水を前記トイレット・ボウルの内壁面に差し向けるように配置され且つ配列された複数の放水口と、前記複数の放水口を通して放水するための手段と、を更に含む：
前記放水するための手段は、洗浄作用を高めるために、前記複数の放水口の組に順次水を送出するためのシーケンス手段を含む：
前記放水するための手段は、前記傾倒ボウルが前記第一位置にあるとき、前記流体受容空間内に最適な所定流体レベルを維持するための手段を更に含み、前記流体レベルを維持する手段は、前記最適な所定流体レベルより低い流体レベルが検出されるとき、放水を開始し、前記最適な所定流体レベルに少なくとも等しい流体レベルが検出されるとき、放水を停止する：
前記複数の放水口は、前記下方排出開口及び／又は底部排出孔の上方に配置された包囲領域を定めるように配列されている：
前記複数の放水口を通して放水するための前記手段は電子制御される：
トイレットは、前記流体受容空間内の流体レベルが規定レベルを超えるとき、過剰な流体を排出する、前記傾倒ボウルによって構成された手段を更に含む：
前記傾倒ボウルは複数のボウル部分からなり、少なくとも１つのボウル部分は水平な軸線を中心に枢動するように取り付けられている：
トイレットは、前記第二の所定流体レベルに何時達したかを検出し、且つ前記傾倒ボウルを前記第一位置から前記第二位置に向かって移動するように解放するための手段を更に含む：
トイレットは、流体レベルを検出し、且つ移動を解放する前記手段はフロート及びラッチ組立体を含む：
前記トイレットは携帯トイレットであり、トイレットは折り畳み可能な給水容器及び／又は折り畳み可能な排泄物容器を更に含む。
本発明の諸目的、利点およびその他の特徴は、添付図面を参照して例示として与えられる発明の好ましい実施例の以下の非限定的な説明を読むことによって、もっと明らかになるであろう。
【図面の簡単な説明】
添付図面において：
図１は本発明のトイレットの第一の好ましい実施例の透視断面図であって、傾倒ボウルを含む。
図１ａは本発明のトイレットの選択的な実施例の透視断面図である。
図２は、傾倒位置から非傾倒位置への傾倒ボウルの戻りを遅くするための、図１のトイレットのピストン装置の立面の、部分的な断面図である。
図３は図１のトイレットのシーケンスバルブの分解的な立体透視図である。
第４は非傾倒位置で示す傾倒ボウルと、トイレットへの水の供給を制御するための制御弁装置を含む本発明のトイレットの第二の好ましい実施例の立面の部分的な断面図である。
図５は、傾倒位置で傾倒ボウルを示す図４のトイレットの立面の、部分的な断面図である。
図６は図４のトイレットの傾倒ボウルの断面透視図である。
図７は図４のトイレットの制御弁装置の立面の、断面図である。
図８は図７の制御弁装置の作動をトリガーするための押しボタン機構の頂部平面図であり、この機構は周囲リングを回転させるように押しボタンの押し下げによって作動される連結ロッドと、のこ歯付ホイール７６と、リングの回転運動をのこ歯付ホイールに伝達するための爪とを含む。
図９ａは図７の制御弁装置の部分的に歯付きのカム・ホイールの頂部平面図である。
図９ｂは図９ａの部分的に歯付きのカム・ホイールの断面の、側面立面図である。
図１０は図７の制御弁装置の水分配ディスクの頂部平面図である。
図１１は廃水底部排出孔をトイレットフレームの前面に位置させた、図４と５のトイレットの部分的な側面立面図である。
図１２は本発明のトイレットに使用される代替的な傾倒ボウルの側面立面図である。
図１３は三つのピースから構成される本発明によるトイレットの断面透視図である。
図１４は便座と予め形成された便座カバーペーパー・シートを分配するための本発明によるカバーとを含むトイレットの側面立面図である。
図１５は図１４のトイレットの便座の第一の実施例を示す底部平面図である。
図１６は図１４のトイレットの便座の第二の実施例を示す底部平面図である。
図１７は両面使用（リバーシブル）便座、カバー、および、選択的な中間的な滅菌消毒層を含む、本発明のトイレット便座の第二の実施例の側面立面図である。
好ましい実施例の詳細な説明
本発明によるトイレットの第一の好ましい実施例を図１に示し、全体に参考番号１で特定する。
トイレット１はフレーム２を含む。フレーム２は陶器で作られるのが有利である。しかしながら、プラスチックとファイバーグラスなどのその他の材料を考慮することが出来る。
フレーム２は、一般的に前方流れでボウル３から廃水５を排出するように一般的に前方に向けられた廃水用の下方排出開口４が形成されているトイレット・ボウル３を含む。
トイレット・ボウル３の下で、フレーム２は中空チャンバー６を構成する。中空チャンバー６は従来の廃水パイプ（図示せず）に接続出来る廃水用の底部排出孔７を含む。図１に示すように、中空チャンバー６は排出孔７の方に傾倒する底部壁面８を構成し、それによって、中空チャンバー６の中に排出された廃水はその底部壁面８の上に落ちて、排出孔７の方に流れ、排出孔７とそれに接続された廃水パイプ（図示せず）を通して排出される。
ボウル３と中空チャンバー６との間には、プラスチック、陶器、ファイバーグラス、樹脂材料、金属などのような適当な材料で作られた傾倒ボウル９が配置されている。さらに明確には、傾倒ボウル９はフレーム２に水平な、横軸線１０を中心に枢動可能に取り付けられている。傾倒ボウル９は又フレーム２以外の支持面に枢動可能に取り付けられても良いことを理解すべきである。図１の非傾倒位置では、傾倒ボウル９はトイレット・ボウル３の全体的な輪郭に従い、従って、トイレット・ボウル３の排出開口４にまたがって延びる。傾倒ボウル９が傾むけられると、傾倒ボウルは下方排出開口４を介してトイレット・ボウルに流通される水を収容することが出来る。もちろん、傾倒ボウル９はトイレット・ボウル３内に水５の所要とされるレベル１１を保持するに充分な大きく、そのレベル１１はトイレットを設置する室内に下水ガスの逃げを防止するのに充分である。
傾倒ボウル９は、釣り合いおもり１４がおかれる頂部キャビティー１３が形成されている後方に延びた舌状部１２を含む。軸線１０の位置と釣り合いおもり１４の質量は、釣り合いおもり１４が水５の質量を釣り合わせ、傾倒ボウル９を図１の非傾倒位置に維持することが出来るように選択される。
トイレット１を作動するために、使用者はハンドル１５を回転させてレバー１７とチェーン１８とを介して舌状部１２の後部自由端１６を持ち上げる。すると、傾倒ボウル９は、それが図５に示す位置のような傾倒位置に達するまで矢印１９の方向に傾倒する。すると、ボウル３からの廃水５は開口４から排出され、次いで、傾倒ボウル９から中空チャンバー６に排出されて、最後には排出孔７とそれに接続された廃水パイプ(図示せず)を介して排出される(図５の矢印２０を参照)。
傾倒ボウル９の傾倒位置では(例えば、図５を参照)、釣り合いおもり１４は依然として、傾倒した傾倒ボウル９を図１のその元の非傾倒位置に戻ろうとするレバー力を生じさせる。しかしながら、傾倒した傾倒ボウル９の図１のその元の非傾倒位置への戻りは、ピストン装置２１によって所定時間だけ遅らされる。
添付図面の図２に示すように、ピストン装置２１は、ブラケット２４（図１に点線２５として示す機械的なリンクを参照）を介してトイレット１のフレーム２に枢動可能に連結された下端壁２３を有するシリンダー２２を含む。ピストン２６はシリンダー２２の中へ摺動可能に取り付けられ、ピストン２６の周縁面とシリンダー２２の内壁との間の不浸透性は動的Ｏ−リング２７によって確保される。ピストン・ロッド２９はシリンダー２２の下端２３と反対側のピストン２６の面の中央に固定された一端と、傾倒ボウル９の舌状部１２の後部自由端１６に枢動可能に連結された第二の端３６とを有する。ピストン・ロッド２９はシリンダー２２の上端壁３０の孔３２を貫通し、ピストン・ロッド２９と孔３２との間の不浸透性は動的Ｏ−リング３１によって確保される。
図２でわかるように、ピストン２６はシリンダー２２の内側の容積を上側のチャンバー３３と下側のチャンバー３４とに分割している。大きい方の直径の導管３５がハンドル１５、レバー１７およびチェーン１８の作用によってトリガーされる傾倒ボウル９の傾倒運動を邪魔しないようにチャンバー３３からチャンバー３４への空気の容易な移送を可能にしている。逆止弁３７が導管３５に取り付けられ、上側チャンバー３３から下側チャンバー３４にだけ空気の流れを可能にしている。調整可能なチョーク・バルブ３９を備えた小さい方の直径の導管３８もまたシリンダー２２の上側チャンバー３３と下側チャンバー３４を相互接続している。
傾倒した傾倒ボウル９が釣り合いおもり１４によって生じるてこの力によって図１のその元の非傾倒位置に戻されるとき、空気がシリンダー２２の下側のチャンバー３４から上側のチャンバー３３に移送される。この空気の移送は小さい方の直径の導管３８によってのみ行なうことができる。小さい方の直径の導管３８とチョーク・バルブ３９の組み合わせ作用によって引き起こされる空気の流れに対する抵抗は傾倒ボウル９の枢動運動を遅くさせ、それによってチョーク・バルブ３９の調整によって調整できる所定時間だけ図１の非傾倒位置への傾倒ボウル９の枢動運動、即ち戻りを遅らせる。もちろん、この時間は、ボウル３からの廃水５を排出させることができ、かつボウル３と傾倒ボウル９のクリーニングを可能にするのに充分長くなければならない。
明らかに、ピストン装置２１は同じ機能を果たすことの出来る他の機構によって置き換えても良い。同様に、ハンドル１５、レバー１７およびチェーン１８の組み合わせは電気装置、電子装置、あるいは、空気圧装置のような他のトリガ装置によって容易に置き換えることが出来ることも理解すべきである。
図１に戻って言及すると、トイレット・ボウル３は、ボウル３の内側に位置している底部環状フランジ４１を構成する上側中空リム４０を構成する。トイレット・ボウル３の内壁の方に向けられた周辺に分布しているノズル４２がフランジ４１から出ている。
傾倒ボウル９が図１の位置から図５に示すような傾倒位置に傾むけられたとき、シーケンスバルブ４３（図１）に入口チューブ４４を介して水が供給され、引き続いて、出口チューブ４５を介してこの水をノズル４２に供給する。シーケンスバルブの一例を図３に示す。
図３のシーケンスバルブ４３はハウジング４６と、そのハウジング４６を閉じて、水密性のエンクロージャーを形成するカバー４７とを含む。入口チューブ４４を介してシーケンスバルブ４３に供給された水は、水タービン４８を駆動する。ハウジング４６の内側の半円形の壁４９は、導管４４を介してハウジング４６の中に入る水の流れを、タービン４８を効率的に駆動するようにそらせる。タービン４８の回転運動は、大きい方の直径の歯車５１と噛み合った小さい方の直径の歯車ホイール５０に伝達される。歯車５１の回転運動は最終的には水分配ディスク５２に転送される。
水分配ディスク５２はハウジング４６の底面５３にあてがわれている。水分配ディスク５２は一対またはそれ以上の対の直径方向に対向した孔５４を備えており、一方ハウジング４６の底面５３は各々出口チューブ４５のそれぞれに接続されるいくつかの対の直径方向に対向した孔５５を備えている。ディスク５２の回転時に、対の孔５４は各対の直径方向に対向した孔５５と連続的に、そして、順次整合することになる。従って、ノズル４２には対によって順次ハウジング４６から水が供給され、水のジェットを順次に生じさせ、その機能はトイレット・ボウル３の内壁と傾倒ボウル９の内側をクリーニングすることである。
分配ディスク５２の孔５４及びハウジング４６の孔５５の配置と数は、ノズル４２からの水のジェットの所望な順序と数を得るために自由に変更することが出来ることを理解すべきである。もちろん、水分配ディスク５２は、ピアノ・キーのような同じ機能を達成することの出来る他のタイプのバルブによって置き換えられても良い。
当業者は、ノズル４２の向きがトイレット・ボウル３の内壁と傾倒ボウル９の内側のクリーニングを最適化するように選択されることを認識するであろう。同じ目的のために、ノズル４２は円形、楕円形、および／又は、平らな水ジェットを生じさせるように設計することが出来る。さらに、トイレットは、定置移動、並進、枢動、および／または、回転ノズル４２を備えても良い。
もちろん、入口チューブ４４への水の供給は、電子的に、および／又は、機械的に制御されても良い。一例として、フロート・バルブ５６がボウル３の外側で傾倒ボウル９の中に取り付けられ、傾倒ボウル９が図５の位置の方へ傾倒するときレベル１１以下に落下する水５のレベルに応答して水供給源５７からシーケンスバルブ４３の入口チューブ４４に水を供給する。同じ方法で、傾倒ボウル９が図１の非傾倒位置に戻った後、フロート・バルブ５６は水５によってレベル１１の到達を検出して水供給源５７から入口チューブ４４への水の供給を中断する。もちろん、同じ水供給制御作動を行うことの出来る電子的、および／または、機械的装置でフロート・バルブ５６を置き換えることは本発明の範囲内にある。同様にして、待機状態において過剰な水位を補償するために、傾倒ボウル９に過剰な水を排出するのに適当なレベルに小さな孔を設けても良い。
従って、図１のトイレット１の作動は、次のステップを伴う：
(a)ハンドル１５を手で回して、図１の位置から図５の位置のような傾倒位置に傾倒ボウル９を傾倒させる。
(b)ボウル３と傾倒ボウル９からの廃水を中空チャンバー６内排出させ、次いで、排出孔７と廃水パイプ（図示せず）を通して排出させる。
(c)レベル１１以下の水５のレベルの降下を、フロート・バルブ５６によって検出し：すると、フロート・バルブ５６は水供給源５７から入口チューブ４４を介してシーケンスバルブ４３に水を供給する。
(d)シーケンスバルブ４３は、トイレット・ボウル３の内壁及び傾倒ボウル９を洗浄する水のジェットを順次生じさせるために、出口チューブ４５を介して対で、および、順次にノズル４２に水を供給する。
(e)傾倒した傾倒ボウル９は釣り合いおもり１４によって生じさせられたレバー力によって図１の非傾倒位置に戻され、この枢動運動はピストン装置２１の作用によって遅くされる。
(f)傾倒した傾倒ボウル９が軸線１０を中心に回動して、図１の位置に戻るとき、傾倒ボウルはノズル４２からの水で次第に満たされる：および、
(g)傾倒ボウル９が図１の位置に戻り、ノズル４２からの水が傾倒ボウル９をレベル１１まで満たしたときには、フロート・バルブ５６は遮断され、シーケンスバルブ４３にはもはや水が供給されない。すると、トイレット１は、ハンドル１５の手動の操作によって再び作動される準備が整う。
今、図１ａに言及すると、ハンドル１５、レバー１７およびチェーン１８の組立体を電気的なトリガ装置で置き換えることも本発明の範囲内である。その様な装置では、傾倒ボウル９のステム１２は、位置傾倒ボウル９を最初の非傾倒位置に賦勢する釣り合いおもり１４で適切に重みを持たされている。傾倒ボウル９が水を排せつ物で（満杯の約３／４）充分に満たされたときには、傾倒ボウル９は傾倒ボウル９とその内容物の重さが釣り合いおもり１４の重量に打ち勝つとき、重力のために自動的に傾き始める。その結果、その様な装置は、ハンドル１５、レバー１７およびチェーン１８の代りに単一の押しボタン・トリガー１５′あるいは、選択的に遠隔制御装置(図示せず)が用いられ、これは電子制御装置１７′を作動し、該装置はバルブを作動して、水供給源５７からシーケンスバルブ４３の入口チューブ４４に水を供給する。次いで、水のジェットはトイレット・ボウル３の内壁の内側に、又、傾倒ボウル９の内側に噴出され、次第に傾倒ボウル９を満杯の３／４まで満たし、その結果、傾倒ボウルは上述したように自動的に傾倒する。傾むけられたときには、傾倒ボウル９は第二の位置、即ち、図５に示す傾倒位置を占めることになる。傾倒ボウル９のこの傾倒運動中、ノズル４２はボウル３の内面と傾倒ボウル９に水を噴射し続ける。傾倒ボウル９の非傾倒位置への戻りを遅らせる上述のピストン装置２１の様な遅延手段を設けても良い。遅延手段があると無いとに拘わらず、傾倒ボウル９は、もちろん、釣り合いおもり１４の故にその最初の非傾倒位置を自動的に回復する。電子制御装置１７′は、もちろん、ボウル３と傾倒ボウル９の完全なすすぎを行うためにノズル４２の順次的、および、調時スプレーを行うようにプログラムされている。
選択的な実施例では、電子制御装置１７′は上述のサイクルを繰り返すように、即ち、ボウル３と傾倒ボウル９を完全に洗浄する新鮮なすすぎ水で今回満タンの約３／４まで傾倒ボウル９をもう一度満たし、傾倒ボウルが図５に示す第二の位置へ再び傾むき、図１ａに示す元の非傾倒位置に戻り、廃水用の底部排出孔７からの下水ガスの逃げを防ぐ、図１と関連して記載した如き予め設定したレベルまで最終的に水で満たすようにプログラムされる。この最後のステップはトイレットをそのスタンドバイの位置におくことになる。水を補償するためには：全体的に参照番号６０によって特定された本発明によるトイレットの第二の好ましい実施例を、添付図面の図４−８を参照して今説明する。
本発明によるトイレットの第一と第二の好ましい実施例の対応する要素は同じ参照番号によって特定されていることを指摘しておく必要がある。
図４を参照すると、トイレット６０はフレーム２を含む。フレーム２は陶器で作られるのが好都合である。しかしながら、プラスチック、ファイバーグラスなどの他の材料も考えることが出来る。
フレーム２は、一般的に前方の流れで、ボウル３から廃水５を排出するように一般的に前方に向けられている廃水用の下水排出開口４が形成されたトイレット・ボウル３を含む。
トイレット・ボウル３の下で、フレーム２は中空のチャンバー６を構成する。中空チャンバー６は従来の廃水パイプ（図示せず）に接続出来る廃水用の底部排出孔７を含む。図４に示すように、中空チャンバー６は排出孔７の方に傾倒している底部壁面８を構成し、それによって、中空チャンバー６の中に排出された廃水はその底部壁面８上に落ち、排出孔７の方に流れ、排出孔７と、それに接続された廃水パイプ（図示せず）を通して排出される。
ボウル３と中空チャンバー６との間には傾倒ボウル９が配置されている。
さらに詳しくは、傾倒ボウル９はフレーム２に水平な、横軸線６１を中心に枢動可能に取り付けられている。図４の非傾倒位置では、傾倒ボウル９はトイレット・ボウル３の全体的な輪郭に従い、従ってトイレット・ボウル３の排出開口４の上に延びる。傾倒ボウル９が傾むけられると、傾倒ボウルは、下方排出開口４を介してトイレット・ボウル３に流通される水５を収容することが出来る。もちろん、傾倒ボウル９はトイレット・ボウル３内に一定レベル６２の水５を保持するに充分な大きさである。
図４と６を参照すると、傾倒ボウル９には一対の対称の、側方の、一体的な水タンクが形成され、そのうち左の水タンク６３だけを示す。タンク６３には図４に点線で示すチューブ６４を介して水が供給される。タンク６３も底部オリフィス６５を含む。
図４の好ましい実施例はばね賦勢式のフロート作動式ラッチ機構６６を使用している。この好ましい実施例では、傾倒ボウル９は後方に延びた舌状部を含んでいないが、後縁部６７を含む。機構６６は傾倒ボウル９の後縁部６７に枢動可能に取り付けられたＶ形状のアーム６８を含む。傾倒ボウル９の内側に位置しているＶ形状のアーム６８の端部にはフロート６９が取り付けられている。ラッチ７０が傾倒ボウル９の外側に位置しているＶ形状のアーム６８の他端に形成されている。ラッチ７０はトイレット６０のフレーム２と一体に形成されたラッチ係合フック・エレメント７１に係合して、図４の位置に傾倒ボウル９を保持する。スプリング・エレメント７２が通常はラッチ７０をフック・エレメント７１に適用する。
図４に示すように、トイレット・ボウル３は、ボウル３の内側に位置している底部環状フランジ４１を構成する上側中空リム４０を構成する。トイレット・ボウル３の内壁の方に向けられ、制御弁装置７４のそれぞれの出口チューブ７３を通して水が供給される周囲に分配されたノズル４２がフランジ４１から出ている。
次の記述の中で説明されるように、トイレット６０の作動はバルブ装置７４によって制御される。
トイレット６０を作動させるために、使用者は押しボタン７５（図４）を押すだけでよい。
今図７と８に言及すると、制御バルブ装置７４は断面が一般的に矩形であるリング７７によって取り囲まれたのこ歯付きホイール７６を含む。リング７７の内側キャビティー７８内にはばね付勢式の爪７９が枢動可能に取り付けられている。もっと明確には、その爪７９はのこ歯付きホイール７６の回転軸８０と一般的に平行な軸線を中心に枢動可能に取り付けられた近位端部を持つ。キャビティー７８の底部と枢動爪７９との間に配置されたスプリング８１がこの爪７９の自由な遠位端部８３をホイール７６の８２のようなのこ歯に付勢する。
押しボタン７５はフレーム２の頂壁８９を貫通し、制御弁装置７４の方に延びるロッド８４を含む。連結ロッド８５（図８）は押しボタン７５と反対側の、ロッド８４の端部に枢動可能に連結された第一の端部８６と、リング７７の外周縁面８８に枢動可能に連結された第二の端部８７とを備える。
押しボタン７５の押し下げの際、ロッド８４の長手方向の運動は連結ロッド８５を介して伝達されて、リング７７を軸８０を中心に方向９０に回転させる。次いで、リング７７の回転運動は、端部８３が１つののこ歯８２に係合している爪７９を介してのこ歯付きホイール７６に伝達される。押しボタン７５を解放すると、この押しボタンは非押し下げ位置に戻る(例えば、スプリング(図示せず)の作用によって)。すると、リング７７は方向９０と反対の方向に回転し、ばね付勢式の爪７９はのこ歯８２の上をスライドして、他の上流側の歯８２に係合する。
押しボタン７５の押し下げによって引き起こされるのこ歯付きホイールの回転運動は、シャフト９２を介して他の歯車９１に伝達される。図９ａと９ｂに示すように、歯車９１は平滑な環状軸方向部分９５と歯付きの環状軸方向部分９６とに分割される周囲環状縁面９４を含む。平滑な環状軸方向部分９５はカム部分９７と半円形部分１２１（図９ａ）を構成する。
図８に示すように、ホイール７６とリング７７は制御弁装置７４の水密ハウジング９３の外側に置かれるのが良く、一方、歯車９１はそのハウジング９３の内側に位置する。
水は、水供給源９８から入口チューブ９９（図４）を通して、次に、ばね付勢式バルブ１００（図７の矢印１０１を参照）を通して制御弁装置７４に供給される。バルブ１００は円錐形弁座１０３を構成する管状部材１０２と、円錐形弁座１０３の中へ嵌る円錐面を構成し、スプリング１０６によって弁座１０３に押しつけられるプラグ・エレメント１０４を含む。Ｏ−リング１０７は弁座１０３と円錐面１０５との間の接合部の不浸透性を確保している。プラグ・エレメント１０４は、ハウジング９３の内側で延び、歯車９１の平滑な環状軸方向部分９５に当てられ、その上をスライドする丸味付自由端部１０９を有する一体の細長い延長部１０８を含む。
初期には、延長部１０８の丸味付自由端１０９は図９ａに示す位置にあり、それはカム部分９７のコーナー１１０にある。押しボタン７５の押し下げによって与えられた方向１１１（図９ａ）における歯車９１の回転運動により、自由端部１０９をカム部分９７上滑らせ、延長部１０８をスプリング１０６によって生じさせられる力に抗して軸方向に移動させる。すると、円錐面１０５は円錐形弁座１０３から遠ざかり、それによって水はバルブ１００に浸入し、ハウジング９３の中に形成された導管１１２の中を流れてタービン１１３を駆動する。導管１１２はタービン１１３を効率的に駆動するために水の流れを逸らす半円形の壁１１４を含む。
タービン１１３の回転運動はシャフト１１６を介して減速歯車装置１１５に伝達される。減速歯車装置１１５はハウジング９３の水密の隔室１１７の中に配置され、それによって、水はその減速歯車装置１１５の歯車には一切到達しない。
減速歯車装置１１５は歯車１１８を含み、タービン１１３の回転の際回転がこの歯車に与えられる。歯車１１８はシャフト１１９に取り付けられ、シャフトは歯車１１８と共に回転して歯車９１の歯付き環状軸方向部分９６の歯に噛み合っているホイール回転式ラチェット機構１２０を駆動して、この歯車９１を所定の速度で方向１１１に回転させる。このタイプのラチェット機構は当業者にはよく知られており、従って、本書中ではこれ以上は記述しない。
従って、歯車１１８が回転してラチェット機構１２０を駆動し、歯車９１を方向１１１に回転させると、プラグ・エレメント１０４の丸味付き自由端部１０９は歯車９１の環状縁面９４の平滑な環状軸方向部分９５のカム部分９７上を先ずスライドして、次第にバルブ１００を開け、次いで、半円形部分１２１上をスライドし、バルブ１００は充分に開く。
その間に、タービン１１３を駆動した導管１１２からの水はハウジング９３を満たし、隔壁１２４（図７を参照）の孔１２３からそのハウジング９３の隔室１２２に供給される。
又、減速歯車装置１１５は歯車１２５を含み、回転がタービン１１３の回転の際歯車１２５に回転が与えられる。歯車１２５は共に回転し、隔室１１７と１２２との間に配置された隔壁１２７を貫通する管状のシャフト１２６に取り付けられている。歯車１２５の回転運動は、シャフト１２６を介して、大きい方の直径の歯車１２９と噛み合っている小さい方の直径の歯車１２８に伝達され、歯車１２８と１２９は両方とも隔室１２２の中に取り付けられている。歯車１２９の回転運動は最終的には水分配ディスク１３０に転送される。
図７と１０を参照すると、水分配ディスク１３０は隔室１２２の壁面１３１に付けられている。水分配ディスク１３０は一対の直径方向に対向した孔１３２を備えており、一方、隔室１２２の壁面１３１は、各々制御弁装置７４の出口チューブ７３のそれぞれに接続されているいくつかの対の直径方向に対向した孔１３３を備えている。ディスク１３０の回転の際、対の孔１３２は各対の直径方向に対向した孔１３３と連続的に、そして、順次整合されるようになる。従ってノズル４２には対によってハウジング９３から水が供給され、水のジェットを順次に生じさせ、その機能はトイレット・ボウル３の内壁と傾倒ボウル９の内側を洗浄することである。
水分配ディスク１３０は更には壁面１３４の孔１３５と関連した半円形の長円形孔１３４を備えている。孔１３５は傾倒ボウル９の両側で水タンク６３に供給を行っているチューブ６４（図４）に接続されている。
従って、押しボタン７５の押し下げによって与えられる方向１１１（図９ａ）における歯車９１の回転運動により、自由端部１０９をカム部分９７上を滑動させ、延長部１０８をスプリング１０６によって生じさせられる力に抗して軸方向に移動させ、水を導管１１２の中を流れさせ、タービン１１３を駆動させる。タービン１１３の回転運動は減速歯車装置１１５に伝達され、歯車１２５を回転させ、歯車１２５の回転運動は水分配ディスク１３０に伝達されて、対によって順次、ハウジング９３から水がノズル４２に供給され、ボウル３と傾倒ボウル９を洗浄する水のジェットを順次に生じさせる。
ノズル４２からの水はトイレット・ボウル３内の水５のレベルを初期のレベル１３６からレベル６２に上昇させ、そのレベル１３６は、トイレットが配置されている室内での下水ガスの逃げを防止するに充分である。その間に、水分配ディスク１３０の長円形の孔１３４が壁面１３１の孔１３５と整合されたとき、６４のような関連したチューブを通して６３のような二つの側方タンクに水が供給される。チューブ６４は軸６１の近くを通り、これらのチューブが傾倒ボウル９の傾倒運動を阻害するのを防止するように柔軟性である。
水５がレベル６２に達したときには、６３のような側方タンクは水で満たされている。又、フロート６９は水のそのレベルに応答して、Ｖ形状のアーム６８を枢動させ、それによって、フック・エレメント７１からラッチ７０の係合を外す。すると、傾倒ボウル９は、それが図５の傾倒位置に達するまで矢印１３７（図４）の方向に傾倒する。次に、ボウル３からの廃水５は下方排出開口４を通して排出され、次には傾倒ボウル９から中空チャンバー６へと排出されて、排出孔７と、最終的にはそれに接続された（図５の矢印２０を参照のこと）廃水パイプ（図示せず）を通して排出される。
その間に、ノズル４２には水のジェットを順次生じさせるために水が供給され続け、６３のような二つのタンクからの水はそれに相当する底部オリフィス６５から次第に排出される。水が６３のようなタンクから底部オリフィス６５を通して排出するにつれて、傾倒ボウル９とその内容物の重心は後方に移動し、それによって、ばね付勢式のラッチ７０がフック・エレメント７１に係合するまで、傾倒ボウル９は図４の元の傾倒位置の方に軸６１を中心にゆっくりと枢動する。この作用は所定時間だけ非傾倒位置への傾倒ボウル９の戻りを遅延させ、廃水の適切な排出及び、ボウル３と傾倒ボウル９の洗浄を可能にする。傾倒ボウル９は重心のこの移動を得るように構成することが出来る。変形例として、この動作を得るために必要に応じて、釣り合いおもりを加えても良い。
図４の非傾倒位置への傾倒ボウル９の戻り中、および、傾倒ボウル９が図４の非傾倒位置に戻った後、ノズル４２からの水のジェットは傾倒ボウル９とトイレット・ボウル３の水位を上げる。減速歯車１１８、シャフト１１９及びラチェット機構によって駆動される歯車９１の回転の速度は、ボウル３と傾倒ボウル９を図４のレベル１３６まで満たす、供給源９８からの水の圧力の関数で調整される。もっと明確には、水５のレベルがレベル１３６に達したときには、プラグ・エレメント１０４の延長部１０８の丸味付き自由端部１０９は、歯車ホイール９１の環状縁面９４の平滑な環状の軸方向部分９５の半円形部分１２１の端部１３９(図９ａ)を離れて、コーナー１１０の中に落ち込む。次に、Ｏ−リング１０７は円錐形弁座１０３と円錐面１０５との間の接合部をシールし、それによって、水はバルブ１００を通してハウジング９３へはもはや供給されず、それによって、タービン１１３の作動を停止させ、押しボタン７５が再び押されて、トイレット６０の作動の上述のサイクルをトリガーするまでは、トイレット６０の作動を停止する。
図１１はボウル３と傾倒ボウル９からの廃水の排出を容易にするために中空チャンバー６の前に配置された廃水用の底部排出孔７を示す。図１１の実施例の欠点は、それが現在実施さている建設規準を満さないことである。しかしながら、新しい構築物では、図１１の前側廃水用の底部排出孔７を受け入れるために廃水パイプ（図示せず）を置き換えることが容易であろう。
図１２に、傾倒ボウル９の代替構造を示す。それは廃水を排出するために点線で示すように両方とも傾倒する二つの傾倒ボウル半部１６７と１６８を含む。この代替手段の欠点は傾倒ボウル９内に水を保持するために二つの半部１６７と１６８との間に、水密性のシール１６９が要求されることである。
本発明によるノン・フラッシング・トイレットの製造と保守を容易にするためには、それは図１３に示すように次の三つのピースで作ることが出来る：−廃水パイプ（図示せず）に接続できる廃水排出孔１７１及び上側リム１７３を備え、中空チャンバー１７２を構成するフレーム１７０、：−間にゴム・ガスケット１７７を設けて上側リム１７３に取り付けられる周囲フランジ１７６が形成されたトイレット・ボウル１７５：および、−フレーム１７９またはボウル１７５に枢動可能に取り付けられた傾倒ボウル１７４。
本発明のもう一つの観点は、便座カバーシートの自動分配装置を備えたトイレットに関する。
その目的のために、トイレット１４０は、図１４に示すように、予め形成された便座カバーペーパー・シートを収容する浅い環状の窪み１４３が形成された底面１４２を有する枢動カバー１４１を含む。以下の記述で説明されるように、使用者はトイレット１４０の環状便座１４５上にペーパーシートをおき、カバー１４１を１４４の方向に枢動させてカバー１４１を便座１４５に当て、枢動カバー１４１を１４６のところで点線で示すその通常のレスト位置に戻すだけである。
図１５に示す如き第一の好ましい実施例によれば、１４７のような予め形成された便座カバーペーパー・シートのスタック１５６が浅い窪み１４３の中に設けられる。各ペーパー・シートは適当な圧力付与ファースナー部材１５０と１５１によってその窪み１４３内に保持される二つの直径方向に対向したフラップ１４８と１４９を備えている。各ペーパー・シート１４７の露出面はまた、複数の接着ストリップ１５２を備え、その位置が便座１４５の頂面１５５へのその様なシートの接着を最適にすることに照して最適化されている。フラップ１４８は、ミシン目（引き裂きライン）１５３に沿って引き裂くことによってペーパー・シート１４７から簡単に分離することが出来る。同じ方法で、フラップ１４９はミシン目１５４に沿って引き裂くことによってペーパー・シート１４７から容易に分離することが出来る。
作動中、トイレット便座１４５の頂面１５５を既に覆っている予め形成されたペーパー・シート１４７を最初に取り除く。スタック１５６から新鮮な予め形成された便座カバーペーパー・シート１４７を敷設するには、使用者はカバー１４１を方向１４４に回動させてペーパー・シート１４７の露出面を便座１４５の頂面１５５に当てストリップ１５２をこの頂面１５５に接着する。次に、枢動カバー１４１を矢印１４４と反対の方向に回動させてカバー１４１をその通常のレスト位置１４６に戻す。カバー１４１が便座１４５を離れたときには、ストリップ１５２が便座１４５の頂面１５５に接着され、ミシン目１５３と１５４に沿ってペーパー・シート１４７の引き裂きを引き起す保持力を生させ、それによって便座１４５上にペーパー・シート１４７を残し、そのペーパー・シート１４７はその便座１４５の凸形頂面１５５に合うように予め形成されている。
もちろん、スタック１５６の隣接した次のペーパー・シート１４７の接着ストリップ１５２に当る各ペーパーシート１４７の表面はスムーズであり、それへのストリップ１５２の接着を出来る限り防止するように処理されている。
さらに、ペーパー・シート１４７の露出面を便座１４５の頂面１５５にうまく当てるために、１５７のような平たいスプリング部材を浅い窪み１４３の底部とペーパー・シート１４７のスタック１５６との間に介在させることが出来る。
図１６に示す如き第二の好ましい実施例によれば、浅い窪み１４３は馬蹄形とし、１５９のような予め形成された便座カバーペーパー・シートのスタック１５８は浅い窪み１４３の中に取り付けられる。各ペーパー・シート１５９の露出面は複数の接着ストリップ１６０を備え、その位置は便座１４５の頂面１５５のそのようなシートの接着を最適にすることに照して最適化される。図１６の好ましい実施例では、ペーパー・シート１５９のスタック１５８は圧力感知センサー１６５と１６６による圧力の検出に応答する機械的、および／又は、電気的作動枢動フラッパーの手段によって浅い窪み１４３の中に保持される。枢動フラッパー１６１−１６４はまた手動で操作することが出来る。
作動中、トイレット便座１４５の頂面１５５を既に覆っている予め形成されたペーパー・シートを最初に取り除く。スタック１５８から新鮮な予め形成された便座カバーペーパー・シート１５９を敷設するためには、使用者はカバー１４１を方向１４４に回動させ、ペーパー・シート１５９の露出面を便座１４５の頂面１５５に当て、ストリップ１５２をこの頂面１５５に接着させる。すると、センサー１６５と１６６は圧力を検出して、フラッパー１６１−１６４を引っ込める。その後、枢動回転カバー１４１を矢印１４４と反対の方向に回動させて、そのカバー１４１をその通常のレスト位置１４６に戻す。カバー１４１が便座１４５を離れたとき、ストリップ１６０は便座１４５の頂面１５５に接着され、センサー１６５と１６６はフラッパー１６１−１６４を解放する圧力を検出せず、フラッパーは次いで便座１４５に接着されたペーパー・シート１５９とスタック１５８の次の隣接したシート１５９との間に挿入される。その機能と作動を上述の中で説明した圧力作動式、および、機械的、および／又は、電気的作動フラッパー１６１−１６４を設計することは当業者の能力の範囲内にあるものと信じられる。
もちろん、各ペーパー・シート１５９は便座１４５の凸形頂面１５５に合うように予め形成され、スタック１５８の隣接した次のペーパー・シート１５９の接着ストリップ１６０に当った各ペーパー・シート１５９の表面はスムーズであり、それに対するストリップ１６０の接着を出来るだけ防止するように処理されている。
もちろん、ペーパーをシート１４７と１５９の製作において他の適当な材料で置き換えても良い。
使用者の快適さを改善するために、ペーパー・シート１４７と１５９を暖める電気加熱エレメント（図示せず）をカバー１４１の中に設けても良い。
今図１４を参照すると、本発明のもう一つの観点は、トイレット便座カバー１４１、および／または、トイレット便座１４５の直ぐ下に配置された便器リング１６６に設けられた自動式便座滅菌消毒装置を備えているトイレットに関係する。この実施例では、カバー１４１と便座１４５は一般的な形状と水平位置または持ち上げた位置に旋回する能力において従来の設計に類似している。カバー１４１の内側の部分は、例えば、固形または液体のクレンザー、超音波発生器、熱発生器、赤外線または紫外線照明発生手段、レーザー、空気流、凍結剤、洗剤付与器、ワイパー、便座１４５などの上の取り外し可能なシートへ直ぐに固まる化学薬品またはビニール・コーティングの層といった、様々なクリーニング、および／または、滅菌消毒装置（図示せず）を備えることが出来る。もちろん、クリーニング／滅菌消毒は、便座１４５がその上に横たわっているカバー１４１と接触しているときに、実施される。
選択的な実施例では、クリーニング／滅菌消毒装置は便器リング１６６の中に置かれているも良いし、あるいは、単純にトイレット便座１４５と便器リング１６６との間におかれた層１６７であっても良い。
今図１７を参照すると、便座１４５はボール・ジョイント１６８を使ってトイレット１のフレーム２に取り付けられ、このボール１６９は便座１４５と一体である。もちろん、便座１４５の簡単な取り外しと側面反転のためのスロット開口（図示せず）を備えた回転端キャップ（図示せず）のような他の取り付け具も考慮される。しかしながら、ボール・ジョイントの配置が好ましい。従って、便座１４５は、ボール・ジョイント１６８で便座１４５を回転させることによって自由意志で両面使用することが出来る。両面使用可能な便座の片側には、それが層１６７または便器リング１６６と接触して保持されるときには常に、クリーニングされ／滅菌消毒され、使用のための準備が整っている。使用者はクリーンで滅菌消毒された表面を得るためにその便座１４５をただ反転するだけである。
本発明はその好ましい実施例に言及して本書中で上記に説明されてきたが、これらの実施例は本発明の精神と性質から逸脱することなしに、添付の請求項の範囲内で、随意変更することが出来る。
例えば、傾倒ボウルの傾倒操作及び又はスタンドバイ位置に傾倒ボウル９を維持することは次の通りに行なわれる。
−柔軟性のあるゴムで作られ、水が供給されるピストンによって（水圧力）。
−傾倒ボウル９とその内容物の重心を移動させ、それによってその傾倒ボウルの傾倒を生じさせるために傾倒ボウル９のタンクに水を満たすことによって。
−重心を再び移動させるためにおもりを変位させることによって。
−磁石（単数または複数）の手段によって（磁力）。
−スプリングによって。
−ボウルの中の水位を検出して、電動機を作動することによって。
−歯車装置によって。
−使用者の存在の検出によって。
−遠隔制御などによって。
傾倒ボウル９を傾倒させるための手動、電気的、電子的、機械的、自動式、磁石式、重力式のトリガリングを使うことは本発明の範囲内である。
同じ方法で、バルブ２１、４３および７４を手動で、電気的に、電子的に、機械的に、自動的に、磁気的に、遠隔的に、あるいは、重力によってトリガーすることが出来る。
ボウル３の中の水位はシーケンスバルブ４３または制御弁装置７４の内側に、あるいは、外側に配置された独立のバルブによって制御することが出来る。
上記の記述の中で説明した概念を含めて携帯トイレットを提供することも本発明の範囲内である。加えて、携帯トイレットは折り畳み可能な給水容器と、選択的には、折り畳み可能な排せつ物質容器を備えることが考慮される。
【図１】
0003677577.tif 000002
【図１Ａ】
0003677577.tif 000003
【図２】
0003677577.tif 000004
【図６】
0003677577.tif 000005
【図３】
0003677577.tif 000006
【図４】
0003677577.tif 000007
【図５】
0003677577.tif 000008
【図７】
0003677577.tif 000009
【図８】
0003677577.tif 000010
【図１０】
0003677577.tif 000011
【図９Ａ】
0003677577.tif 000012
【図９Ｂ】
0003677577.tif 000013
【図１１】
0003677577.tif 000014
【図１２】
0003677577.tif 000015
【図１３】
0003677577.tif 000016
【図１６】
0003677577.tif 000017
【図１４】
0003677577.tif 000018
【図１５】
0003677577.tif 000019
【図１７】
0003677577.tif 000020